Podtech/llm-jp-corpus-v4-ja_patent huggingface dataset:
(57)【要約】      （修正有）【課題】軽量で持ち運び易く、その都度必要な空間に合わせた設置や撤去を繰り返しても労働的負担が軽く、各自が使う同一形状の部分的衝立を、複数人が連続配置し組合わせることで、様々な空間を自在に間仕切ることが出来る衝立を提供する。【解決手段】衝立１は、シールド（盾）となる薄い樹脂板そのものを屈曲加工することで剛性を持たせ、間仕切りとして自立させる形状を持った衝立１であって、単体配置使用及び連続配置使用時の組合せを考慮した屈曲形状を有している。【選択図】図２
0003228303.tif 000002
【実用新案登録請求の範囲】
【請求項１】
シールド（盾）となる薄い樹脂板そのものを屈曲加工することで剛性を持たせ、間仕切りとして自立させる形状を持った衝立。
【請求項２】
各自が使う同一形状の部分的衝立を、複数人が連続配置し組合わせることで、様々な空間を自在に間仕切ることが出来る形状を特徴とする、請求項１に記載の衝立。
【考案の詳細な説明】
【技術分野】
【０００１】    本考案は、空間を遮断しウイルス・花粉等の飛散飛沫を防御するのに好適な、簡易に設置できる衝立に関するものである。
【背景技術】
【０００２】    従来の樹脂板製衝立はシールド（盾）部分に自立可能な面剛性のある厚板を用いたり強固なフレーム支柱を必要とする。またその様な衝立は、一度設置するとその位置や数量を変えることは少なく、その衝立の間仕切り空間に合わせて人の配置が限定されてしまう。
【考案の概要】
【考案が解決しようとする課題】
【０００３】  従来の衝立は、一度設置するとその位置や数量を変えることは少なく、その衝立の間仕切り空間に合わせて人の配置が限定されてしまう。しかしながら、食堂や会議室などにおいてはその時々において人の位置や人数は様々であり、実際には場面に応じた間仕切り方法が求められている。従って、本考案の衝立を使用することで容易で的確な間仕切りの配置と撤去を可能にし前述の欠点を解決しようとするものである。
【課題を解決するための手段】
【０００４】    本考案の衝立は、シールド（盾）となる薄い樹脂板そのものを屈曲加工することで剛性を持たせ、間仕切りとして自立させているので、非常に軽量で持ち運び易く、その都度、必要な空間に合わせた設置や撤去を繰り返しても労働的負担が軽い。【０００５】    本考案の衝立は、同一形状の部分的衝立を複数使い、それを連続配置し組合わせることで、様々な空間を自在に間仕切ることが出来る。以上の事から、上述の問題点を解決している。
【考案の効果】
【０００６】前述のように、本考案の衝立は極薄い樹脂板のみを部材として簡易に設置できるのでウイルス・花粉の飛散飛沫により汚れが付着しても洗浄が容易で衛生状態を保つことが出来、使い捨て交換するにしても経済的に優れている。【０００７】また、衝立を組合わせて使える事で、その時々遮断したい空間面に対して臨機応変な設置が可能になり衝立の総数を最小化できる。
【図面の簡単な説明】
【０００８】
【図１】本考案の衝立のＬ字形状タイプの平面図である。
【図２】本考案の衝立のＬ字形状タイプの姿図である。
【図３】本考案の衝立のＬ字形状タイプの独立配置平面図である。
【図４】本考案の衝立のＬ字形状タイプの向かい合わせ配置平面図である。
【図５】本考案の衝立のコの字形状タイプの平面図である。
【図６】本考案の衝立のコの字形状タイプの姿図である。
【図７】本考案の衝立のコの字形状タイプの独立配置平面図である。
【図８】本考案の衝立のコの字形状タイプの向かい合わせ配置平面図である。
【考案を実施するための形態】
【０００９】［図３］及び［図６］より本考案の衝立１或は２は、単独で使用すると前方若しくは相対する人物との間仕切りとして機能する。
【００１０】［図４］及び［図７］より本考案の衝立１或は２を組合わせることにより、そこにいる人に合わせた間仕切りが効率的に構築される。
【符号の説明】
【００１１】  １  Ｌ字形状タイプの衝立
２  コの字形状タイプの衝立
【図１】
0003228303.tif 000003
【図２】
0003228303.tif 000004
【図３】
0003228303.tif 000005
【図４】
0003228303.tif 000006
【図５】
0003228303.tif 000007
【図６】
0003228303.tif 000008
【図７】
0003228303.tif 000009
【図８】
0003228303.tif 000010
(57)【要約】      （修正有）【課題】園児が自ら扱うことができ、扱っても危険でなく、また、被蓋しても管理者が便器内を視認することのできる園児用便器の便座の蓋を提供する。【解決手段】園児用便器の便座の開口を覆う大きさおよび形状の蓋を、透明な合成樹脂製の板１で構成するとともに、上方に持ち手２を付ける。【選択図】図１
0003228335.tif 000002
【実用新案登録請求の範囲】
【請求項１】
園児用便器の便座の開口を覆う大きさおよび形状の蓋を、透明な合成樹脂製の板で構成するとともに、上方に持ち手を付けたことを特徴とする園児用便器の便座の蓋。
【請求項２】
合成樹脂製の板はアクリル板である請求項１記載の園児用便器の便座の蓋。
【請求項３】
蓋の四隅に丸みを持たせた請求項１または２記載の園児用便器の便座の蓋。
【請求項４】
蓋の下部に複数の突起を垂設し、上記突起をもって便座との接触部とした請求項１から３のいずれかに記載の園児用便器の便座の蓋。
【考案の詳細な説明】
【技術分野】
【０００１】
本願考案は幼稚園や保育園などの幼児用施設に設置される園児用便器の便座の蓋に関する。
【背景技術】
【０００２】
例えば幼稚園や保育園などの幼児が使用する施設においては、幼児の体格に合わせた便器が使用されている（以下、本願明細書においてはこのような便器を「園児用便器」と称する。）。
【先行技術文献】
【特許文献】
【０００３】
【非特許文献１】インターネットホームページ「幼児用大便器３−５歳児向け」（https://jp.toto.com/products/public/kids＿toilet＿3-5/index.htm ）
【非特許文献２】インターネットフリー百科事典ウィキペディア（Ｗｉｋｉｐｅｄｉａ）「幼児用便器」（https://ja.wikipedia.org/wiki/%E5%B9%BC%E5%85%90%E7%94%A8%E4%BE%BF%E5%99%A8 ）
【考案の開示】
【考案が解決しようとする課題】
【０００４】
前記の園児用便器は蓋を有していない。その理由は蓋をしてしまうと使用後の園児の洗い流し忘れを管理者が発見し難くなる点にある。
【０００５】
ところで、本願出願時点において新型コロナウイルス感染症（ＣＯＶＩＤ−１９）が蔓延している。新型コロナウイルスに感染した者の糞便は一旦便器の中に収まるが、水を流すときにウイルスが巻き上げられ、エアロゾル化しトイレ内に飛散する現象を生じることが指摘されている。
【０００６】
前記の現象は、洗い流す際に便器の蓋を閉じることで、糞便から空気中に逃げる粒子の８０％を防ぐことができるといわれており、蓋を有していない園児用便器に関しても蓋を用意することが望まれる。
【０００７】
本願考案は以上の問題点に鑑みて創作されたものである。
【課題を解決するための手段】
【０００８】
すなわち、本願考案の園児用便器の便座の蓋は、園児用便器の便座の開口を覆う大きさおよび形状の蓋を、透明な合成樹脂製の板で構成するとともに、上方に持ち手を付けたことを特徴とする。  
【０００９】
また、請求項２記載の考案は前記の園児用便器の便座の蓋において、合成樹脂製の板はアクリル板であることを特徴とする。
【００１０】
また、請求項３記載の考案は前記の園児用便器の便座の蓋において、蓋の四隅に丸みを持たせたことを特徴とする。
【００１１】
また、請求項４記載の考案は前記の園児用便器の便座の蓋において、蓋の下部に複数の突起を垂設し、上記突起をもって便座との接触部としたことを特徴とする。
【考案の効果】
【００１２】
以上の構成よりなる本願考案の園児用便器の便座の蓋によれば、用便後、洗い流す前に蓋をすることにより、糞便からウイルスがエアロゾル化して空気中に逃げることを防げるので幼児用施設内の新型コロナウイルスなどのウイルス感染症の伝染を防ぐことができる。
【００１３】
また、便座の蓋は透明なので、蓋をしたまま便器内を視認することができ、使用後の園児の洗い流し忘れや便器内の汚染物質の付着を管理者が容易に発見することができる。また、蓋自身への汚染物質の付着も表裏から確実に視認することができる。
【００１４】
また、請求項２記載の考案によれば蓋をアクリル板により構成するので、耐衝撃性にすぐれ、仮に折損しても破砕のおそれがなく、軽量であるというその特性より、園児が直に触れても危険がない。また、年長クラスの園児であれば自分で十分に取り扱うことができる重さに止めることができるので衛生教育にも貢献する。
【００１５】
また、請求項３記載の考案によれば、蓋の四隅に丸みを持たせて鋭利な部分を除去しているので、園児が触った際に手を切るなどの事故を防止できる。
【００１６】
また、請求項４記載の考案によれば、蓋の下部に複数の突起を垂設し、上記突起をもって便座との接触部としているので、蓋が便座に触れる箇所を最小限に止めることができ、園児が蓋の持ち手以外の部分を持っても清潔さを保つことができる。
【図面の簡単な説明】
【００１７】
【図１】本願考案の園児用便器の便座の蓋の平面図。
【図２】同上、正面図。
【図３】同上、斜視図。
【図４】本願考案の園児用便器の便座の蓋が使用される園児用便器の一例の要部の平面図。
【図５】本願考案の園児用便器の便座の蓋の異なる形状の平面図。
【図６】本願考案の園児用便器の便座の蓋が使用される異なる形状の園児用便器の一例の要部の平面図。。
【考案を実施するための最良の形態】
【００１８】
以下、本願考案の園児用便器の便座の蓋の具体的実施例を添付図面に基づいて説明する。図１〜図３は本願考案の蓋の一例を示すものである。ここでは蓋は透明なアクリル板からなる本体１の上面に園児が把持可能な持ち手２を設けている。持ち手２は園児が自ら持つことができる形状および大きさに構成されるもので、ここでは下向きコ字状に構成される。
【００１９】
本体１は被蓋すべき園児用便器の便座Ｂ１（図４参照）の開口Ｂ２を覆う大きさおよび形状に構成されるものであり、ここでは蓋の四隅に丸みを持たせることにより鋭利な部分を除去している。
【００２０】
図中符号３は、便器の便座Ｂ１との接触部として蓋の本体１の下部に垂設される突起であり、ここではゴムや塩化ビニールなどの緩衝作用を有する素材による突起を４個垂設している。
【００２１】
図５および図６は異なる形状の便座および便座の蓋を示す図である。
【符号の説明】
【００２２】
１      蓋の本体
２      持ち手
３      突起
Ｂ１    便座
Ｂ２    開口
【図１】
0003228335.tif 000003
【図２】
0003228335.tif 000004
【図３】
0003228335.tif 000005
【図４】
0003228335.tif 000006
【図５】
0003228335.tif 000007
【図６】
0003228335.tif 000008
(57)【要約】      （修正有）【課題】赤ちゃんの排泄物処理を洗面所でより容易に行うことができるお尻洗い用品を提供する。【解決手段】お尻洗い用品は、合成樹脂素材板１と、素材板に備えた伸縮自在棒２と、自在棒の先端に備えた吸盤３と、を有する。洗面所の洗面ボウルに、洗面ボウルの縦幅に合わせて本体を吸盤で固定し、赤ちゃんを本体板上に載置し、洗面ボウルに溜めたぬるま湯を用いて、赤ちゃんの陰部及び臀部に付着した排泄物を片手で優しく洗い流す。【選択図】図１
0003228787.tif 000002
【実用新案登録請求の範囲】
【請求項１】
合成樹脂素材板に伸縮自在棒を備えたところを特徴とする赤ちゃんのお尻洗い用品
【請求項２】
前記伸縮自在棒の両端または片端に吸盤を備えたところを特徴とする請求項１に記載の赤ちゃんのお尻洗い用品
【考案の詳細な説明】
【技術分野】
【０００１】  本考案は、赤ちゃんの陰部及び臀部に付着した排泄物を洗面所で洗い流すことのできる、赤ちゃんのお尻洗い用品に関するものである。
【考案の概要】
【考案が解決しようとする課題】
【０００２】  赤ちゃんの陰部及び臀部に付着した排泄物の処理法は、お尻拭き用ウェットペーパーで拭き取るのが主であるが、特に月齢の低い時期の赤ちゃんは排尿回数も多く下痢の様な軟便のため、広範囲にそして細部まで拭かなくてはならない。なぜなら、排泄物の拭き残しはオムツかぶれ、カンジダ皮膚炎、肛門周囲膿瘍などの原因になるからである。しかし、赤ちゃんの肌はとても敏感で、排泄物や汗で蒸れた状態では更に傷つきやすく、ウェットペーパーなどの拭き取る摩擦でも皮膚ただれを起こしてしまう。これらの予防、治療上、赤ちゃんの最適な排泄物処理法は座浴になるが、その準備や後始末などの煩わしさから、治療などの必要に迫られなければ行われておらず、これを洗面所で容易に行える物として解決しようとする。
【課題を解決するための手段】
【０００３】  本考案は洗面所の洗面ボウルに、合成樹脂素材板に備えた伸縮自在棒を洗面ボウルの縦幅で固定し、赤ちゃんは合成樹脂素材板上、陰部及び臀部に付着した排泄物を洗い流すことができる。これは座浴同様、赤ちゃんは衣服着用のまま、ぬるま湯を使って行うことが可能。さらに、母親などは腰の高さで作業でき、足元を濡らす心配がなく、板は軽量のため扱いやすい。これらは問題を解決している。
【考案の効果】
【０００４】  上述の様に、本考案の洗面所対応の赤ちゃんのお尻洗い用品は、赤ちゃんにとって最適な排泄物処理法を容易に行える物であり、よって、赤ちゃんの皮膚疾患などのリスク軽減、また、治療時の座浴の代わりとなる。そして、お尻拭き用ウェットペーパーの節約にもなり、母親などにとっても最適な物として役立つ。
【図面の簡単な説明】
【０００５】
【図１】本考案の洗面所対応の赤ちゃんのお尻洗い用品斜視図
【図２】本赤ちゃんのお尻洗い用品使用斜視図
【符号の説明】
【０００６】  １  合成樹脂素材板
２  伸縮自在棒
３  吸盤
【図１】
0003228787.tif 000003
【図２】
0003228787.tif 000004
(57)【要約】      （修正有）【課題】装着時に顎とマスクの間に呼気の排出経路を確保することにより、蒸れの防止と眼鏡の曇りを防止するマスクを提供する。【解決手段】顎当てをマスク３下部中央に隙間ができる長さに切断した物を一対作り、マスク３下部中央に隙間ができるように対称の位置に粘着して、顎当て１ａ、１ｂを形成する。顎当て１ａ、１ｂとマスク３で呼気の排出経路を形成する。顎とマスク下部の隙間より呼気を排出し、蒸れを防止する。さらに、呼気がマスク３上部隙間から漏れることを抑え、眼鏡の曇りを防止する。【選択図】図３
0003228786.tif 000002
【実用新案登録請求の範囲】
【請求項１】
マスクの下部に、蒸れ防止と眼鏡の曇り防止を目的とする呼気の排出経路を形成し得る弾力性のあるスポンジなどを素材とする顎当て。
【請求項２】
及び、呼気の排出経路を形成し得る顎当てを有することを特徴とするマスク。
【考案の詳細な説明】
【技術分野】
【０００１】  本考案は、マスク装着時の蒸れ防止と眼鏡の曇り防止に関するものである。
【背景技術】
【０００２】  通常、マスクは鼻と口を覆い装着する。装着時は呼気によりマスク内が蒸れ、不快感を生じる。眼鏡を使用している場合は、鼻部と頬面の間から呼気が漏れ、眼鏡が曇り、視界を遮る。【０００３】  上述の眼鏡の曇り防止については、マスク本体上部に金物を取り付け、金物を鼻の形に合わせて隙間をなくしたり、鼻の背近傍の隙間をなくすように、スポンジなど弾力性のある物を取り付けたマスクなどが考案されている。【０００４】  これらの考案は、いずれも呼気がマスク上部の隙間から漏れることを防ぎ、眼鏡の曇り止めを期待するものである。しかし、呼気が漏れることを防ぐことにより、蒸れの原因である呼気の排出が妨げられ、一層マスク内に蒸れを生じ、不快感を生む結果となる。
【先行技術文献】
【特許文献】
【０００５】
【特許文献１】特開２００７−０６１５８５号  公開特許公報
【特許文献２】特開２０２０−０５０９９６号  公開特許公報
【特許文献３】特開２００８−１４８９８４号  公開特許公報
【特許文献４】特開２０１５−０２００３８号  公開特許公報
【特許文献５】特開２００９−０６６３８２号  公開特許公報
【特許文献６】特開２０１３−０７５１３０号  公開特許公報
【考案の概要】
【考案が解決しようとする課題】
【０００６】  マスク装着時に呼気をスムーズに排出し、マスク内の蒸れを抑えると同時に眼鏡の雲り止め効果を期待する。
【課題を解決するための手段】
【０００７】  本考案は、マスク裏側下部に呼気の排出経路を形成し得る、弾力性のあるスポンジなどを素材とする顎当てを設ける。この顎当てにより、装着時にマスクと顎の間に隙間を作り、ここより呼気を排出する。さらにマスク上部への呼気の流れを抑え、眼鏡の曇り止めを期待する。
【考案の効果】
【０００８】  本考案では、マスクと顎の間に呼気の排出経路が形成される。これにより呼気がスムーズに排出され、マスク上部への呼気の流れが抑えられる。呼気のスムーズな排出により、不快感の原因である蒸れを軽減し、呼気をマスク下部から排出することにより、眼鏡が曇る原因であるマスク上部隙間から呼気が漏れることも抑えられる。さらに下部より呼気を排出することにより、前方への飛沫の拡散も防げる。
【図面の簡単な説明】
【０００９】
【図１】本考案の顎当ての立体図
【図２】本考案の顎当ての裏面図
【図３】本考案の顎当て付きマスクの裏面図（一般的な矩形状の場合）
【図４】本考案の顎当て付きマスクの下面図
【図５】本考案の顎当て付きマスク装着時の正面図
【図６】本考案の顎当て付きマスク装着時の下面図
【図７】本考案の顎当て付きマスク装着時の横面図
【図８】本考案の顎当て付きマスクの裏面図（一般的な３Ｄ構造の場合）
【考案を実施するための形態】
【００１０】  本考案の排出経路を形成し得る顎当ては、大きさ、形状の異なるマスクにも対応させるため、容易に切断できる粘着テープと一体となったスポンジなどの弾力性のある物である。マスク本体は、顎とマスクの間に呼気の排出経路を形成させるために、顎にかかる十分な大きさを有する形状の物である。
【００１１】  顎当てを、マスクに合わせて中央に隙間ができる長さに切断する。切断した顎当て一対を作り、マスク本体下部中央に隙間ができるよう対称の位置に粘着する。
【実施例】
【００１２】  以下、添付図に従って一実施例を説明する。１は弾力性のあるスポンジなどを材料とする粘着テープ付き顎当て、３は一般的な矩形状の蛇腹を展開して使用するマスク。マスク３下部の中央に隙間ができるように長さを調整して、顎当て１を切断する。切断した二つの顎当て１を一組とし、図３のようにマスク３に対称の位置に粘着する。
【符号の説明】
【００１３】  １  顎当て本体
２  粘着テープ
３  矩形状の一般的なマスク
４  下顎面
５  ３Ｄ構造の一般的なマスク
【図１】
0003228786.tif 000003
【図２】
0003228786.tif 000004
【図３】
0003228786.tif 000005
【図４】
0003228786.tif 000006
【図５】
0003228786.tif 000007
【図６】
0003228786.tif 000008
【図７】
0003228786.tif 000009
【図８】
0003228786.tif 000010
(57)【要約】【課題】  任意の床面特にカーペットの床面に着脱容易に使用出来、コストパフォーマンスに優れる社会的距離保持用表示板を提供する。【解決手段】  上面に通常の形態のフイルム１を使用しその下面に滑り止めゴム２を固定する表示板で前記フイルム１の表面には使用目的に対応する表示文字や模様が表示されている。【選択図】図１
0003228781.tif 000002
【実用新案登録請求の範囲】
【請求項１】
感染を防止するため対話する人と人との間に一定の距離を保持すべく床面等に取り付けられる表示板であって、前記表示板は滑り止めゴムを下面に使用し通常の床面やカーペットの床面に着脱容易に貼着可能なものからなることを特徴とする社会的距離保持用表示板（ソーシャルディスタンスフロアプレート）。
【請求項２】
前記表示板は、姿形状が円，楕円，正方形，矩形，三角形等の任意のプレート形状のものからなり、その表面には必要の距離を保持するに必要な文字や模様が表示されることを特徴とする請求項１に記載の社会的距離保持用表示板。
【考案の詳細な説明】
【技術分野】
【０００１】  本考案は、例えば新型コロナウイルス等の悪質な病源による人間への感染を防止するために対話する人との間に一定の安全距離を保持すべく対話場所の床面に貼着される社会的距離保持用のための表示板であって、床面特にカーペット床面に対しても着脱容易に形成される社会的距離保持用表示板（ソーシャルディスタンスフロアプレート）に関する。
【背景技術】
【０００２】  従来では対話する場合において比較的近距離の間隔を保持して行うことが通常であり、感染防止のため長目の距離を保持することは余り行われていなかった。しかしながら最近、新型コロナウイルス等の悪質な菌が社会的に拡散し、日本全国や世界中において大きな問題となっている。この防止策としては各種のものが提案され、実施されているが、その中で対話する人間の間に従来では行われていなかった一定の長い距離を保持するために解り易い表示板が床面等に貼着する手段が広く採用されて来ている。この手段として社会的距離保持用表示板（ソーシャルディスタンスフロアプレート）が用いられている。この表示板はプレート状のもので貼着テープ等を用いて床面に貼着し、その表面にこの上に足を乗せて下さい等の表示が印刷されているものが存在している。しかし、本出願人の調査ではこの表示板に関する公知資料は出願されていない様であり、実際使用されているものは床面に固定されている表示板が使用されているのみである。但し、剥離が容易である貼着材料を使用しているものとして次の資料が挙げられる。
【先行技術文献】
【特許文献】
【０００３】
【特許文献１】特開２０１５−２３２０２５号  このものは易剥離性貼着材料に関するものであるがこのものを使用している床面用のフロアプレートは見当らない。
【考案の概要】
【考案が解決しようとする課題】
【０００４】  本考案は以上の事情に鑑みて考案されたものであり、対話する人の間の距離を自由に変化させたり、任意の床面やカーペットの床面にも貼着可能であり、着脱が容易に出来る社会的距離保持用表示板を提供することを目的としたものである。
【課題を解決するための手段】
【０００５】  本考案は、以上の目的を達成するために請求項１の考案は、感染を防止するため対話する人と人との間に一定の距離を保持すべく床面等に取り付けられる表示板であって、前記表示板は滑り止めゴムを下面に使用し通常の床面やカーペットの床面に着脱容易に貼着可能なものからなることを特徴とする。【０００６】  また、請求項２の考案は、前記表示板は、姿形状が円，楕円，正方形，矩形，三角形等の任意のプレート形状のものからなり、その表面には必要の距離を保持するに必要な文字や模様が表示されることを特徴とする。
【考案の効果】
【０００７】  本考案の請求項１の社会的距離保持用表示板によれば、下面に滑り止めゴムを使用するものからなるため、床面に対して特にカーペットの床面に対しても容易に着脱出来、自分の欲する安全な間隔を容易に保持出来、何回も使用出来、コストパフォーマンスに優れる効果を挙げることが出来る。【０００８】  また、本考案の請求項２の社会的距離保持用表示板によれば、その外面形状は任意のものからなり、その表面には自己の欲する文字を記載でき、任意の美観のある模様を付することが出来、各所において広く、かつ喜んで使用出来る効果を上げる事が出来る。
【図面の簡単な説明】
【０００９】
【図１】  本考案の社会的距離保持用表示板の一例を示す斜視図。
【考案を実施するための形態】
【００１０】  以下、本考案の社会的距離保持用表示板の実施の形態を図面を参照して詳述する。
【００１１】  図１は表面に必要な文字等の表示のあるプレートにその下面に滑り止めゴムを固定した社会的距離保持用表示板１００を示す。この実施の形態の表示板としては全体形状が円型のものからなるが、本考案の社会的距離保持用表示板１００はこれに限定するものではない。その構造としては上面板として通常のフイルム１を使用し、下面に滑り止めゴム２を固定したものからなる。滑り止めゴムとしては従来より使用されているゴム体であり、このゴムはカーペットの床面に対しても容易に着脱出来るものからなる。また、滑り止めゴム２の上面のフイルム１にはこの社会的距離保持用表示板１００の用途を示す表示文字が表示されている。
この文字の内容としては、例えば“この上面に足を乗せて下さい”等の文字が記載されているが勿論それに限定するものではない。また、任意の模様を表示して美観を有するものであってもよい。この社会的距離保持用表示板１００を前記のように着脱容易のため、何回も使用出来、コストパフォーマンスに優れると共に２枚の社会的距離保持用表示板１００，１００間の距離を任意に変更することも出来る。
【００１２】  本考案の社会的距離保持用表示板１００は以上の説明のものからなるが、勿論この内容に限定するものではなく、一般の技術的範疇のものが適用されることは勿論である。
【産業上の利用可能性】
【００１３】  本考案の社会的距離保持用表示板１００は各所の床面に使用出来ると共にカーペットの床面に対しても着脱容易に使用出来、その利用範囲は極めて広い。
【符号の説明】
【００１４】  １      フイルム
２      滑り止めゴム
１００  社会的距離保持用表示板
【図１】
0003228781.tif 000003
(57)【要約】      （修正有）【課題】配管・ダクト等に取り付けた保温材等の外装材として、上の層、下の層の二層の片面段ボールを提供する。【解決手段】段ボールライナーに中芯紙を貼り付けた片面ダンボールの二層構造を有し、下層と下層を巻き込む幅の長さを伴った上層からなる二層の片面ダンボールであって、二層の片面ダンボールの上層と下層を水平直角にずらすことにより、保温材等で施工された配管・ダクトを一枚で巻き込んだ場合、下層ののりしろ部分２と上層の下層との重ね合わせ部分５を重ね合わせることにより段差を無くすことが出来、また巻き込んだ片面ダンボールの下層が長い箇所１と上層が長い箇所４の片面ダンボール両端を重ね合わせることにより、二層の厚みを確保し、なお且つ段差無しに継ぎ足し接続が可能となる。【選択図】図１
0003228718.tif 000002
【実用新案登録請求の範囲】
【請求項１】
段ボールライナーに中芯紙を貼り付けた片面ダンボールの二層構造を有し、下の層と下の層を巻き込む幅の長さを伴った上の層からなることを特徴とする二層の片面ダンボール。
【考案の詳細な説明】
【技術分野】
【０００１】  本考案は施工された保温材の外装材として、上の層、下の層の二層の片面段ボールでの加工及び取り付け方法に関するものである。
【背景技術】
【０００２】  屋外で設置された配管・ダクトの外装材としてステンレス鋼板や亜鉛鉄板等の板金材が使用されていた。
【考案の概要】
【考案が解決しようとする課題】
【０００３】  従来この種の外装化粧材はステンレス鋼板・アルミ鉄板・亜鉛鉄板などを使用することにより、配管・ダクト等に取り付けた保温材等の機能が保たれていた。
しかし、それらのステンレス鋼板・アルミ鉄板・亜鉛鉄板などは、硬質である為に加工・取り付けが困難であった。
【課題が解決するための手段】
【０００４】  本考案は上記従来例の問題点を解決すべくダンボールを外装材とすると共に
二層の片面ダンボールの上層部と下層部を水平垂直にずらして重ね幅（１、２、４、５）を具備することにより、加工及び取り付けにおける問題点を解決している。
【考案の効果】
【０００５】  配管・ダクトに施工された保温材等の上に二層の片面ダンボールを外装材として外周に廻し下層のみ出ている箇所“２”と上層のみ出ている箇所“５”をのりしろ部として重ね合わせる。
【０００６】  また、ダンボールの外装材を継ぎ足す場合、最初に取り付けた二層の片面ダンボールの上層より外に出ている下層部（図２‐１）と継ぎ足す為に保温材等の外周に廻した二層の片面ダンボールの下層より外に出ている上層部（図２‐４）を重ね合わせることにより、どの箇所にも凹凸が表れず形を整わせることが出来る。
【図面の簡単な説明】
【０００７】
【図１】二層の片面ダンボールで角ダクトを組み立てる前の段ボールライナーを表面とした展開図
【図２】図１の“８”の方向からの断面図
【図３】二層の片面ダンボールで角ダクトを組み立てた立体図
【図４】水平垂直にずらした二層の片面ダンボールで組み立てた筒
【図５】フランジ用に加工するための図４の凸部に被せるもの
【図６】フランジ用に加工するための図４の凹部に被せるもの
【図７】図５の内側を真上から見た図
【考案を実施するための形態】
【０００８】  本来、屋外部に設置された配管・ダクトに施工された保温材等の外装材として使用されているステンレス鋼板・アルミ鉄板・亜鉛鉄板等の材質は固く、切断・折り曲げなどの取り付けが難しく、施工する上での技術が必要となり技術を伴う作業員の数が減少している中で難しい加工・取り付けを容易に出来るように工夫されたものが「上の層と下の層を水平垂直にずらして加工した二層の片面ダンボール」である。しかし、下の層に厚みが伴う場合、上の層の幅を延ばし、下の層を巻き込む長さに調整しなければならない。
【実施例】
【０００９】  材料がステンレス鋼板等の板金材から二層の片面ダンボールにかわることにより、切断・折り曲げが容易となり、なお且つ二層の片面ダンボールを水平垂直にずらして加工された二層の片面ダンボール（図１）を使用することにより、凹凸を無くし、また継ぎ足しが出来るようになり、本来鉄板材で加工していたものと同様に仕上げることが可能となる。【００１０】  配管には、直管にフランジが設置されている場合があり、その場合はフランジに下付け施工された保温材・保冷材の外装材として図４の二層の片面ダンボールの両側を茶筒のフタのように加工された物（図５及び図６）をはめ込むように仕上げる。
【符号の説明】
【００１１】１  二層の片面ダンボールの上層部より突き出している下層部分。継ぎ足す場合、この部    分を片面二層のダンボールの下層部より突き出している上層部分を重ね合わせる。
２  ダクトに下付けされた保温材等の外側に施工するに二層の片面ダンボール下層部分で    “５”の“のりしろ”部分
３  ダクトに下付けされた保温材等の外側に施工するに二層の片面ダンボールの上層部か    つ“５”との突き合わせ部分
４  二層のダンボールの下層部より突き出している上層部分。
５  ダクトに下付けされた保温材等の外側に施工するに二層の片面ダンボールの上層部。    “２”との重ね合わせ部分かつ“３”との突き合わせ部分
６  二層の片面ダンボールの上層の片面ダンボールと下層の片面ダンボールの重なってい    る部分
７  “３”と“５”の突き合わせ部分に貼っている粘着テープ
８  継ぎ足し部“１”およびその上層部の断面が確認できる方向
【図１】
0003228718.tif 000003
【図２】
0003228718.tif 000004
【図３】
0003228718.tif 000005
【図４】
0003228718.tif 000006
【図５】
0003228718.tif 000007
【図６】
0003228718.tif 000008
【図７】
0003228718.tif 000009
(57)【要約】      （修正有）【課題】配管・ダクト等に取り付けた保温材等の外装材としての、二層のダンボールを提供する。【解決手段】二層のダンボールの上層と下層を水平直角にずらすことにより、保温材等で施工された配管・ダクトを一枚で巻き込んだ場合、下層ののりしろ部分２と、上層の下層との重ね合わせ部分５を重ね合わせることにより段差を無くすことが出来、また巻き込んだダンボールの下層が長い箇所１と上層が長い箇所４のダンボール両端を重ね合わせることにより、二層の厚みを確保し、なお且つ、段差無しに継ぎ足し接続が可能となる。【選択図】図１
0003228719.tif 000002
【実用新案登録請求の範囲】
【請求項１】
下の層と下の層を巻き込む幅の長さを伴った上の層を水平垂直にずらして加工・取り付け・継ぎ足しができることを特徴とする二層のダンボール。
【請求項２】
下の層と下の層を巻き込む幅の長さを伴った上の層を水平垂直にずらして加工・取り付け・継ぎ足しができることを特徴とする二層のプラスチック製のダンボール。
【請求項３】
下の層と下の層を巻き込む幅の長さを伴った上の層を水平垂直にずらして加工・取り付け・継ぎ足しができることを特徴とする二層の発泡ゴム系断熱材。
【考案の詳細な説明】
【技術分野】
【０００１】本考案は上の層と下の層を水平垂直にずらして加工した上層部（外側部）のダンボール紙の加工及び取り付け方法に関するものである。
【背景技術】
【０００２】  屋外で設置された配管・ダクトの外装材としてステンレス鋼板や亜鉛鉄板等の板金材が使用されていた。
【考案の概要】
【考案が解決しようとする課題】
【０００３】  従来この種の外装化粧材はステンレス鋼板・アルミ鉄板・亜鉛鉄板などを使用することにより、配管・ダクト等に取り付けた保温材等の機能が保たれていた。
しかし、それらのステンレス鋼板・アルミ鉄板・亜鉛鉄板などは、硬質である為に加工・取り付けが困難であった。
【課題が解決するための手段】
【０００４】  本考案は上記従来例の問題点を解決すべくダンボールを外装材とすると共に
二層のダンボールの上層部と下層部を水平垂直にずらして重ね幅（１、２、４、５）を具備することにより、加工及び取り付けにおける問題点を解決している。
【考案の効果】
【０００５】  配管・ダクトに施工された保温材等の上に二層のダンボールを外装材として外周に廻し下層のみ出ている箇所（２）と上層のみ出ている箇所（５）をのりしろ部として重ね合わせる。
【０００６】  また、ダンボールの外装材を継ぎ足す場合、最初に取り付けた二層のダンボールの上層より外に出ている下層部（図２‐１）と継ぎ足す為に保温材等の外周に廻した二層のダンボールの下層より外に出ている上層部（図２‐４）を重ね合わせることにより、どの箇所にも凹凸が表れず形を整わせることが出来る。
【図面の簡単な説明】
【０００７】
【図１】二層のダンボールで角ダクトを組み立てる前の展開図
【図２】図１の“２”の方向からの断面図
【図３】二層のダンボールで角ダクトを組み立てた立体図
【図４】水平垂直にずらした二層のダンボールで組み立てた筒
【図５】フランジ用に加工するための図４の凸部に被せるもの
【図６】フランジ用に加工するための図４の凹部に被せるもの
【図７】図５の内側を真上から見た図
【考案を実施するための形態】
【０００８】  本来、屋外部に設置された配管・ダクトに施工された保温材等の外装材として使用されているステンレス鋼板・アルミ鉄板・亜鉛鉄板等の材質は固く、切断・折り曲げなどの取り付けが難しく、施工する上での技術が必要となり技術を伴う作業員の数が減少している中で難しい加工・取り付けを容易に出来るように工夫されたものが「上の層と下の層を水平垂直にずらして加工した二層のダンボール」である。しかし、下の層に厚みが伴う場合、上の層の幅を延ばし、下の層を巻き込む長さに調整しなければならない。
【実施例】
【０００９】材料がステンレス鋼板等の板金材から二層のダンボールにかわることにより、切断・折り曲げが容易となり、なお且つ二層のダンボールを水平垂直にずらして加工された二層のダンボール（図１）を使用することにより、凹凸を無くし、また継ぎ足しが出来るようになり、本来鉄板材で加工していたものと同様に仕上げることが可能となる。【００１０】配管には、直管にフランジが設置されている場合があり、その場合はフランジに下付け施工された保温材・保冷材の外装材として図４の二層のダンボールの両側を茶筒のフタのように加工された物（図５及び図６）をはめ込むように仕上げる。
【符号の説明】
【００１１】１  二層のダンボールの上層部より突き出している下層部分。継ぎ足す場合、この部分を二層のダンボールの下層部より突き出している上層部分を重ね合わせる。
２  ダクトに下付けされた保温材等の外側に施工するに二層のダンボール下層部分で“５”の“のりしろ”部分
３  ダクトに下付けされた保温材等の外側に施工するに二層のダンボールの上層部かつ“５”との突き合わせ部分
４  二層のダンボールの上層部より突き出している上層部分。
５  ダクトに下付けされた保温材等の外側に施工するに二層のダンボールの上層部。“２”との重ね合わせ部分かつ“３”との突き合わせ部分
６  二層のダンボールの上層のダンボールと下層のダンボールの重なっている部分
７  “３”と“５”の突き合わせ部分に貼っている粘着テープ
【図１】
0003228719.tif 000003
【図２】
0003228719.tif 000004
【図３】
0003228719.tif 000005
【図４】
0003228719.tif 000006
【図５】
0003228719.tif 000007
【図６】
0003228719.tif 000008
【図７】
0003228719.tif 000009
(57)【要約】      （修正有）【課題】酸化チタンの光触媒機能を最大限に発揮できるフィルターシートを提供する。【解決手段】フィルターシートは、酸化チタン微細粒子とＰＴＦＥ粒子をフィブリル化させた混合粒子１を不織布２に薄く挟込み加圧圧着したシートであり、柔軟性を持ち、気体などを透過させることにより効果的に光触媒機能を発揮させるものである。【選択図】図２
0003228714.tif 000002
【実用新案登録請求の範囲】
【請求項１】
光触媒機能を有する酸化チタンと未焼成ポリテトラフルオロエチレン樹脂の混合粉末を、不織布に挟み込み、未焼成ポリテトラフルオロエチレンの繊維化する性質を利用し加圧接着したことを特徴とするフィルターシート
【請求項２】
混合粉末は、微粉末状アナターゼ型酸化チタン（６０％重量以上）とポリテトラフルオロエチレンファインパウダー（４０％重量以下）の混合物であることを特徴とする請求項１に記載のフィルターシート。
【請求項３】
混合粉末の挟み込み面積は、５％〜９５％であり、気体や液体を透過させるものであることを特徴とする請求項１に記載のフィルターシート。
【請求項４】
不織布は、ポリプロピレン、ポリエチレン、ポリエチレンテレフタレートポリエステル、レーヨン、ナイロン、ポリ乳酸や和紙などを用い、厚み０．１〜２．０ｍｍの不織布であることと特徴とする請求項１に記載のフィルターシート。
【考案の詳細な説明】
【技術分野】
【０００１】  光触媒機能を有する酸化チタンとポリテトラフルオロエチレン（以降ＰＴＦＥと記す）を用いた、気体・液体の浄化を目的としたシートに関する。
【背景技術】
【０００２】  酸化チタンの光触媒機能を用いた種々の製品が発表されている。またフッ素樹脂を用いたものも提案されているが、いずれも成形、加熱処理や繊維化などエネルギーやコストの掛かったものである。
本考案の目的は、簡便に、かつ安価に製造でき、より効果を発揮するものを提供する。
【先行技術文献】
【特許文献】
【０００３】
【特許文献１】特開２００５−２５４１８５
【非特許文献１】ＡＩＲＡＱＵＡ（エアラクア）カタログ  有限会社ヤマカツラボ
【考案の概要】
【考案が解決しようとする課題】
【０００４】  特許文献１では、酸化チタン・ＰＴＦＥ混合粉末を多数の孔部を有する金属製多孔板に充填付着させている。このため気体の通過は少量となり、表面のみの活性を利用するにとどまっている。
【課題を解決するための手段】
【０００５】  本考案は、特許文献１の製法を用いた、微細な酸化チタン粉末とＰＴＦＥファインパウダー粉末の混合物を利用する。
繊維化しやすい性能を持った未焼成ＰＴＦＥと微細な酸化チタン粉末の混合粉末を通気性の高い不織布（例えばポリプロピレン製）に挟み込み、ローラープレスなどにより機械的圧力を加えることにより不織布と絡めることにより混合粉末を固定する。
これにより光触媒機能を持つ酸化チタンを取扱しやすいシート形状にすることが出来る。
また、このシートをキルティング加工することにより、より取扱性が向上する。
混合粉末を挟み込む量は、通気性と固定性より、全体に覆うのでは無く、面積の５０〜８０％程度を薄く被覆する。
【考案の効果】
【０００６】  上記のように、簡便に光触媒機能をもつシートを作成できる。
未焼成ＰＴＦＥを用いているため、柔軟性が良く、不織布の透過性を生かし、気体や液体の脱臭除菌殺菌処理を効果的に行うことが出来る。
【図面の簡単な説明】
【０００７】
【図１】不織布繊維に絡まった、酸化チタン・ＰＴＦＥ粉末の状態を示す状態図
【図２】フィルターシートの断面図
【実施例】
【０００８】  図２の様に、０．１５ｍｍのポリプロピレン製不織布２上に、酸化チタンとＰＴＦＥファインパウダーの混合粉末１をフルイを用い均一に分散した。この上に同じ不織布２を重ね合わせ、軽く予備圧着の後、ローラープレスを通過させ、圧着し、図１のフィルターシートを得た。
【産業上の利用可能性】
【０００９】  室内の脱臭・除菌に用いる。
光触媒性能を生かすため、太陽や蛍光灯の光が当たる、エアコン吸込み口に設置するフィルター、窓のカーテン、照明カバー、マスクなどに使用する用途に向いている。
暗所では、ブラックライトや紫外線灯を用い、より効果を上げることも出きる。
このフィルターシートを数枚重ね、キルティング加工などを行い気体などとの接触時間を長くし、性能と取扱性を上げることも出来る。
【符号の説明】
【００１０】１  酸化チタンとＰＴＦＥの混合粒子
２  不織布
【図１】
0003228714.tif 000003
【図２】
0003228714.tif 000004
【手続補正書】
【提出日】令和2年7月8日(2020.7.8)
【手続補正１】
【補正対象書類名】実用新案登録請求の範囲
【補正対象項目名】請求項２
【補正方法】変更
【補正の内容】
【請求項２】
混合粉末は、微粉末状アナターゼ型酸化チタンを６０％重量以上とし、ポリテトラフルオロエチレンファインパウダーを４０％重量以下とした混合物であることを特徴とする請求項１に記載のフィルターシート。
【手続補正２】
【補正対象書類名】実用新案登録請求の範囲
【補正対象項目名】請求項４
【補正方法】変更
【補正の内容】
【請求項４】
不織布は、ポリプロピレン、ポリエチレン、ポリエチレンテレフタレート、ポリエステル、レーヨン、ナイロン、ポリ乳酸および和紙を用い、厚み０．１〜２．０ｍｍの不織布であることと特徴とする請求項１に記載のフィルターシート。
(57)【要約】      （修正有）【課題】生活上で簡単に入手できる材料を利用してフェイスシールドを提供する。【解決手段】装着者の顔面全体を覆う大きさのシールド材と人体頭部に対して脱着可能に取り付けられ、シールド材を固定するシールド固定用フレームと人体頭部で保持する人体頭部用フレームの２つが一体になった形状を有している。シールド固定用フレームを構成する前方へ向けた短い突起部と後方へ向けた少し長めの突起部と後方へ向けた短い突起部をもつシールド材保持部２〜４と、前記シールド材の上部に明けた保持部用の穴と連結できる構造を有している。人体頭部に対して脱着可能に取り付けられた前記人体頭部用フレームの頭部を挟み込む左右両側と頭部後方の左右両側に設けた調整バンド穴５、６へ調整バンドを通し、人体頭部形状の大きさによって調整バンドの長さを調整することにより人体頭部用フレームが頭部へ固定されズレや落下を防止できる。【選択図】図１
0003228715.tif 000002
【実用新案登録請求の範囲】
【請求項１】
人体頭部用フレームとシールド材固定用フレームが独立したフレームの２重構造
【請求項２】
シールド材固定用フレーム上でシールド材を固定するための保持構造
【請求項３】
人体頭部用フレームを頭部の大きさに合わせることができる調整機能付き構造
【考案の詳細な説明】
【技術分野】
【０００１】
本考案は、人体頭部に取り付けるフェイスシールドに関するもので、簡単に外れないように考案されている。
【背景技術】
【０００２】
１、医療関係者で患者と接する際に、正面からの飛沫を防止する保護具を必要とする場合。
２、介護関係者で介護者と接する際に、会話等の飛沫を避け、感染リスクを低減させたい場合。
３、生活インフラ関係者で（例えば、スーパーなど）顧客と接する際に、会話等の飛沫を避け、感染リスクを低減させたい場合。
４、教育関係者で生徒と接する際に、会話等の飛沫を避け、感染リスクを低減させたい場合。
５、個人が生活する上で友人や知人と会話する際に飛沫を避け、感染リスクを低減させたい場合。など
これらのケースにおいて、入手容易な透明クリアフォルダやレールフォルダを代用し、安価でかつ簡易に飛沫防止ができるため、利便性が高い。
【考案の概要】
【考案が解決しようとする課題】
【０００３】
頭部正面からの第三者の飛沫を防止する。
【課題を解決するための手段】
【０００４】
３Ｄプリンタでフレームを製作し、容易に入手できる透明クリアフォルダやレールフォルダを組み合わせてフェイスシールドとして活用し、調整機能も付与する。
【考案の効果】
【０００５】
正面からの飛沫防止が期待できる。
【図面の簡単な説明】
【０００６】
【図１】フレーム全体図１
【図２】フレーム全体図２
【図３】フェイスシールド装着図
【図４】フェイスシールド調整状態図
【考案を実施するための形態】
【０００７】
[フェイスシールドの構造]
本考案の実施形態について図３で説明する。
本実施形態に係るフェイスシールドは、
３Ｄプリンタで製作したフレーム（符号１）、
透明クリアフォルダやレールフォルダを切断加工したシールド材（符号７）と
頭部の大きさにより調整できる調整バンドによる構造（符号５，６，８）。
フレームの構造について図２で説明する。
フレームの構造は、人体頭部用フレームとシールド材固定用フレームがそれぞれ独立したフレームの２重構造。
【０００８】
（フレーム本体の頭部固定構造）
フレームは頭部前方から手でゆっくり挿入し、頭部前方と側頭部を軽く挟み込んで固定する構造（図４）。
【０００９】
（フレームのシールド材保持部）
シールド材保持方法について図１で説明する。
シールド材保持部は６箇所あり、
シールド材保持部Aは前方へ向けた短い突起部を２箇所（符号２）、
シールド材保持部Ｂは後方へ向けた少し長めの突起部を２箇所（符号３）、
シールド材保持部Ｃは後方へ向けた短い突起部を２箇所（符号４）設ける。
【００１０】
（フレームの調整バンド穴）
調整機能について図１で説明する。
人により頭部の形状に個人差があるので調整機能を付与する。
頭部を挟み込む左右両側フレーム上に、調整バンド穴Ｄを２箇所（符号５）、
頭部後方の左右両側に、調整バンド穴Ｅを２箇所設ける（符号６）。
バンドを通した調整状態は図４のようになる。
【００１１】
（保護面）
透明クリアフォルダやレールフォルダを切断加工してシールド材として取り付ける（図３）。
これらのシールド材に保持部用の穴を４箇所明ける。
形状寸法は予め決めた寸法に従って切断加工する。
好みによって再度切断加工して小さくすることもできる。
【符号の説明】
【００１２】
１、 フレーム
２、 シールド材保持部Ａ
３、 シールド材保持部Ｂ
４、 シールド材保持部Ｃ
５、 調整バンド穴Ｄ
６、 調整バンド穴Ｅ
７、 保護部として使用する透明クリアフォルダやレールフォルダ
８、 調整バンド
【図１】
0003228715.tif 000003
【図２】
0003228715.tif 000004
【図３】
0003228715.tif 000005
【図４】
0003228715.tif 000006
【手続補正書】
【提出日】令和2年7月29日(2020.7.29)
【手続補正１】
【補正対象書類名】実用新案登録請求の範囲
【補正対象項目名】請求項１
【補正方法】変更
【補正の内容】
【請求項１】
装着者の顔面全体を覆う大きさのシールド材と人体頭部に対して脱着可能に取り付けられ、前記シールド材を固定するシールド固定用フレームと人体頭部で保持する人体頭部用フレームの２つが一体になった形状を有していることを特徴とするフェイスシールド
【手続補正２】
【補正対象書類名】実用新案登録請求の範囲
【補正対象項目名】請求項２
【補正方法】変更
【補正の内容】
【請求項２】
前記シールド固定用フレームを構成する前方へ向けた短い突起部と後方へ向けた少し長めの突起部と後方へ向けた短い突起部をもつシールド材保持部と、前記シールド材の上部に明けた保持部用の穴と連結できる構造を有していることを特徴とする請求項１に記載のフェイスシールド
【手続補正３】
【補正対象書類名】実用新案登録請求の範囲
【補正対象項目名】請求項３
【補正方法】変更
【補正の内容】
【請求項３】
人体頭部に対して脱着可能に取り付けられた前記人体頭部用フレームの頭部を挟み込む左右両側と頭部後方の左右両側に設けた調整バンド穴へ調整バンドを通し、人体頭部形状の大きさによって前記調整バンドの長さを調整することにより前記人体頭部用フレームが頭部へ固定されズレや落下を防止できる構造を有していることを特徴とする請求項１または２に記載のフェイスシールド
(57)【要約】      （修正有）【課題】干し芋を食べ易くかつ扱い易くし、外出先でも手を汚さずに気軽に食べることができる袋入り干し芋を提供する。【解決手段】小判型の従来の干し芋を刃物等で一口サイズの所定形状にカットし、カットされた干し芋本体を包装フィルム２で個包装し、ファスナーを有する容器に複数個収納した個包装袋入り干し芋。【選択図】図２
0003228720.tif 000002
【実用新案登録請求の範囲】
【請求項１】
一口サイズの所定形状に加工された干し芋本体と、上記干し芋本体を略中央部に内包し両端を捻ることにより干し芋本体を個別に包装する包装フィルムと、上記包装フィルムで包装された干し芋本体からなる個包装干し芋を内部に複数個収納し開閉自在のファスナー及び底部にガゼット部を有する袋状容器とを有することを特徴とする個包装された袋入り干し芋。
【考案の詳細な説明】
【技術分野】
【０００１】  本考案は、干し芋を包装フィルムで包装した食品に関する。
【背景技術】
【０００２】  干し芋は一般的に芋をスライスした状態で加工され、加工後の干し芋はそのままの形態で流通され販売されている。また、特開２００３−９７６３号公報（特許文献１）には、一口サイズにカットした干し芋が開示されている。
【先行技術文献】
【特許文献】
【０００３】
【特許文献１】特開２００３−９７６３号公報
【考案の概要】
【考案が解決しようとする課題】
【０００４】  従来の干し芋は、販売単位が１ｋｇ、５００ｇなどと、大きな袋にそのままの形状で梱包されており、気軽に外出先などで食べることができなかった。また干し芋の特徴であるべたつきの為干し芋同士が密着し易く、個々の干し芋に分離するのに手間取ったり手が汚れるなどの扱い難さや食べ難さもあった。特許文献１には、干し芋を一口サイズにカットすることは記載されているが、上述の扱い難さや食べ難さを改善する示唆はない。
【課題を解決するための手段】
【０００５】  本考案は上述の課題を解決する為に、小判型の従来の干し芋を刃物等で一口サイズにカットし、このカットした干し芋本体を包装フィルム中央に内包させ包装フィルムの両端を捻って個包装した個包装干し芋を、開閉自在のファスナー付きの底部にガゼット部を有する容器に複数個収納したことを特徴とする。
【考案の効果】
【０００６】  一口サイズにカットした干し芋本体を包装フィルムで個包装することにより、干し芋同士がくっつかず、かつ手を汚さず食べる事が出来る。また、開閉自在のファスナー付きの容器に収納することにより持ち運びに便利であり、気軽にどこでも食べたい分量を取り出すことができる。さらに、底部にガゼット部を有する容器として自立可能としたことにより、店頭で展示し易い。また、この容器の上部に貫通口を設けることにより展示棒にさして展示することができ店頭で場所を取らない。
【図面の簡単な説明】
【０００７】
【図１】一口サイズの所定形状に加工された干し芋本体を示す図。
【図２】個包装干し芋を示す図。
【図３】個包装干し芋を収納した容器を示す図。
【考案を実施するための形態】
【実施例】
【０００８】  以下、添付図面に従って実施例を説明する。図１において１は従来の小判型の干し芋を刃物等で一口サイズの所定形状にカットした干し芋本体である。所定形状の例としては、円形、楕円形、多角形等があるが、任意の形状であってよい。楕円形とすれば、個包装し易いので好ましい。【０００９】  図２において２は干し芋本体１を個包装した状態の包装フィルムである。２１、２２のように両端を捻ることにより、干し芋本体１を包装フィルム２の中央部に内包させる。包装フィルム２の材質及び厚さとしては、干し芋本体と粘着せず、かつ捻った形状を維持できるものとする。具体例としては、厚さ２５ミクロン程度のセロハンフィルムが好適である。また、包装フィルムに文字や図形を印刷しておくことも可能である。例えば商品のニックネームやキャラクター等を印刷しておけば、消費者が個包装の干し芋を食べる度に商品の宣伝効果が期待される。【００１０】  図３において３は個包装した于し芋を複数個収容する袋状の容器であり、３１は容器３の入口に設けられた開閉自在のファスナー、３２は容器３の底部に設けられたガゼット部である。ファスナー３１を有することにより個包装された干し芋を容器から取り出し易くかつ保存し易くしている。また、ガゼット部３２を有することにより容器３が自立形状となるので、本考案にかかる干し芋商品を店頭に陳列し易くなる。３３は容器３の側面に貼付された商品ラベル、３４は商品を展示棒にさして展示するための貫通口である。【００１１】  本考案は、干し芋を商品として考えた場合、従来の商品形態とは大きく異なるものであり、持ち運び易さ、保存し易さ、食べ易さの観点から、従来品と比較して大きな効果を有し、干し芋の販路拡大にも資するものである。
【符号の説明】
【００１２】    １    干し芋本体
２    包装フィルム
３    容器
【図１】
0003228720.tif 000003
【図２】
0003228720.tif 000004
【図３】
0003228720.tif 000005